(57)【要約】      （修正有）【課題】両開き式の蓋部を有し、一方の蓋部が他方の蓋部に食い込んだ形で蓋をすることのできる新規な箱体とくに紙製箱体の提供。【解決手段】底部と側壁よりなる収納箱部（Ａ）および該収納箱部（Ａ）に対する蓋部（Ｂ）よりなる箱体において、前記蓋部（Ｂ）は、蓋部（Ｂ−１）と蓋部（Ｂ−２）とからなる両開き式で、蓋部（Ｂ−１）と蓋部（Ｂ−２）の一部分は、収納箱部（Ａ）の底部の少なくとも一部分と接着されており、蓋部（Ｂ）は、収納箱部（Ａ）の開口部に対応する部分においてのみ、その基本構成層の内側にもう１層が付加されて内側層を形成しており、蓋部（Ｂ）により収納箱部（Ａ）を閉じたとき、それぞれの蓋部〔（Ｂ−１）と（Ｂ−２）〕における内側層は、前記内側層端部が収納箱部（Ａ）の側壁の内側に丁度嵌合する大きさである箱体。【選択図】図1
0003134935.tif 000002
【実用新案登録請求の範囲】
【請求項１】
底部と側壁よりなる収納箱部（Ａ）および該収納箱部（Ａ）に対する蓋部（Ｂ）よりなる箱体において、前記蓋部（Ｂ）は、
（１）蓋部（Ｂ−１）と蓋部（Ｂ−２）とからなる両開き式で、蓋部（Ｂ−１）と蓋部
（Ｂ−２）の一部分は、収納箱部（Ａ）の底部の少なくとも一部分と接着されて
おり、
（２）蓋部（Ｂ）は、収納箱部（Ａ）の開口部に対応する部分においてのみ、その基本構
成層の内側にもう１層が付加されて内側層を形成しており、
（３）蓋部（Ｂ）により収納箱部（Ａ）を閉じたとき、それぞれの蓋部〔（Ｂ−１）と
（Ｂ−２）〕における内側層は、前記内側層端部が収納箱部（Ａ）の側壁の内側に
丁度嵌合する大きさであり、
（４）両開き式の蓋部（Ｂ）の嵌合部分においては、
（イ）それぞれの蓋部〔（Ｂ−１）と（Ｂ−２）〕の内側層は、蓋部（Ｂ）を閉じ
たとき蓋部（Ｂ−１）の端部と蓋部（Ｂ−２）の端部が向かい合って接する
関係にあり、
（ロ）蓋部（Ｂ−１）は、蓋部（Ｂ−２）と接する側の端部において基本構成層に
設けられた突起部を有しており、
（ハ）蓋部（Ｂ−２）は、蓋部（Ｂ−１）と接する側の端部において内側層と基本
構成層が同一寸法であるが、両者の間には蓋部（Ｂ−１）の基本構成層に設
けられた前記突起部を収納できる隙間を有している、
ことを特徴とする箱体。
【請求項２】
前記蓋部（Ｂ−１）の基本構成層に設けられた前記突起部は、その基本構成層上側のほぼ半分が削除された状態に相当する厚みを有するものである請求項１記載の箱体。
【請求項３】
前記蓋部（Ｂ−２）の内側層と基本構成層の間に設けられた蓋部（Ｂ−１）の前記突起部を収納する隙間は、前記蓋部（Ｂ−２）の基本構成層下側のほぼ半分の厚みが削除された状態に相当する間隙を有するものである請求項２記載の箱体。
【請求項４】
蓋部を閉じたとき、蓋部（Ｂ−１）と蓋部（Ｂ−２）が向かい合って接する位置が、蓋部の中央に相当する位置である請求項１〜３いずれか記載の箱体。
【請求項５】
蓋部（Ｂ−１）と蓋部（Ｂ−２）よりなる蓋部（Ｂ）を形成している前記基本構成層は、前記収納箱部（Ａ）を取り巻く1枚の部材である請求項１〜４いずれか記載の箱体。
【請求項６】
前記蓋部（Ｂ）は、前記収納箱部（Ａ）の底部の半分以上の部分が接着されているものである請求項１〜５いずれか記載の箱体。
【請求項７】
前記収納箱部（Ａ）における蓋部（Ｂ−１）と蓋部（Ｂ−２）に覆われる側の側壁には、収納箱部（Ａ）の中に収納されている物品を取り出しやすくするための切り欠き部が設けられているものである請求項１〜６いずれか記載の箱体。
【考案の詳細な説明】
【技術分野】
【０００１】
本考案は、両開き式の蓋部を有する箱体に関する。
【背景技術】
【０００２】
箱体とくに紙製の箱体に関する先行技術として、特許文献１や２など多数の技術があるが、両開き式の蓋部を有し、一方の蓋部が他方の蓋部に食い込んだ形で蓋をすることのできる箱体は全く知られていない。
【０００３】
【特許文献１】特開２００５−３１３９９６号公報
【特許文献２】特開平９−０７７０７８号公報
【考案の開示】
【考案が解決しようとする課題】
【０００４】
本考案の目的は、両開き式の蓋部を有し、一方の蓋部が他方の蓋部に食い込んだ形で蓋をすることのできる新規な箱体とくに紙製箱体を提供する点にある。
【課題を解決するための手段】
【０００５】
本考案の第１は、底部と側壁よりなる収納箱部（Ａ）および該収納箱部（Ａ）に対する蓋部（Ｂ）よりなる箱体において、前記蓋部（Ｂ）は、
（１）蓋部（Ｂ−１）と蓋部（Ｂ−２）とからなる両開き式で、蓋部（Ｂ−１）と蓋部
（Ｂ−２）の一部分は、収納箱部（Ａ）の底部の少なくとも一部分と接着されて
おり、
（２）蓋部（Ｂ）は、収納箱部（Ａ）の開口部に対応する部分においてのみ、その基本構
成層の内側にもう１層が付加されて内側層を形成しており、
（３）蓋部（Ｂ）により収納箱部（Ａ）を閉じたとき、それぞれの蓋部〔（Ｂ−１）と
（Ｂ−２）〕における内側層は、前記内側層端部が収納箱部（Ａ）の側壁の内側に
丁度嵌合する大きさであり、
（４）両開き式の蓋部（Ｂ）の嵌合部分においては、
（イ）それぞれの蓋部〔（Ｂ−１）と（Ｂ−２）〕の内側層は、蓋部（Ｂ）を閉じ
たとき蓋部（Ｂ−１）の端部と蓋部（Ｂ−２）の端部が向かい合って接する
関係にあり、
（ロ）蓋部（Ｂ−１）は、蓋部（Ｂ−２）と接する側の端部において基本構成層に
設けられた突起部を有しており、
（ハ）蓋部（Ｂ−２）は、蓋部（Ｂ−１）と接する側の端部において内側層と基本
構成層が同一寸法であるが、両者の間には蓋部（Ｂ−１）の基本構成層に設
けられた前記突起部を収納できる隙間を有している、
ことを特徴とする箱体に関する。
本考案の第２は、前記蓋部（Ｂ−１）の基本構成層に設けられた前記突起部は、その基本構成層上側のほぼ半分が削除された状態に相当する厚みを有するものである請求項１記載の箱体に関する。
本考案の第３は、前記蓋部（Ｂ−２）の内側層と基本構成層の間に設けられた蓋部（Ｂ−１）の前記突起部を収納する隙間は、前記蓋部（Ｂ−２）の基本構成層下側のほぼ半分の厚みが削除された状態に相当する間隙を有するものである請求項２記載の箱体に関する。
本考案の第４は、蓋部を閉じたとき、蓋部（Ｂ−１）と蓋部（Ｂ−２）が向かい合って接する位置が、蓋部の中央に相当する位置である請求項１〜３いずれか記載の箱体に関する。なお、蓋部（Ｂ−１）と蓋部（Ｂ−２）が向かい合って接する位置は、蓋部の中央に相当する位置でなくても何の問題もないが、中央にあると蓋部（Ｂ−１）と蓋部（Ｂ−２）があたかも１対の襖のように見えて好都合の場合がある。
本考案の第５は、蓋部（Ｂ−１）と蓋部（Ｂ−２）よりなる蓋部（Ｂ）を形成している前記基本構成層は、前記収納箱部（Ａ）を取り巻く1枚の部材である請求項１〜４いずれか記載の箱体に関する。
本考案の第６は、前記蓋部（Ｂ）は、前記収納箱部（Ａ）の底部の半分以上の部分が接着されているものである請求項１〜５いずれか記載の箱体に関する。
本考案の第７は、前記収納箱部（Ａ）における蓋部（Ｂ−１）と蓋部（Ｂ−２）に覆われる側の側壁には、収納箱部（Ａ）の中に収納されている物品を取り出しやすくするための切り欠き部が設けられているものである請求項１〜６いずれか記載の箱体に関する。
【０００６】
本考案における底部と側壁よりなる収納箱部（Ａ）や該収納箱部に対する蓋部（Ｂ）を形成している材料についてはとくに制限はなく、たとえば紙製材料、合成樹脂材料、金属材料など任意のものを挙げることができるが、少なくとも前記蓋部（Ｂ）における基本構成層が紙製材料である場合において本発明の特徴を活かすことができる。
紙製材料としては、箱になったとき、所望の強度を発揮できるものであればよい。通常、前記紙製材料は、その中心部がボール紙、好ましくは板紙よりなり、その周囲に通常の紙を接着して得られたものが好ましい。
その厚さは、材料の硬さ、可撓性、強度などの物性や箱の大きさなどにより一概に言えないが、紙製材料、とくにボール紙の場合であって、箱の大きさがビデオテープが丁度収まる程度のものである場合、その厚さは１．５ｍｍ〜２．５ｍｍ程度のものであることが好ましい。
【０００７】
本考案においては、箱体のすべての部分を同じ材料で構成することもできるが、部分によってその構成材料を変えることもできる。たとえば、収納箱部（Ａ）と蓋部（Ｂ）の内側層は合成樹脂製であるが、蓋部（Ｂ）の基本構成層はボール紙とするケース、収納箱部（Ａ）と蓋部（Ｂ）の内側層は金属製であるが、蓋部（Ｂ）の基本構成層はボール紙とするケース、あるいはすべての部分をボール紙とするケースなどを挙げることができる。
【０００８】
本考案にかかる蓋部（Ｂ）は、蓋部（Ｂ−１）と蓋部（Ｂ−２）とからなる両開き式であり、いずれの蓋部もその基本構成層が前記収納箱部（Ａ）の底面において、全面にわたってあるいはその1部で前記収納箱部（Ａ）に接着されている。
前記蓋部（Ｂ−１）と蓋部（Ｂ−２）は、その基本構成層が前記収納箱部（Ａ）の底面において一体化し、１つの基本構成層となったものであってもよく、むしろこのほうが製造方法上好ましい形態である。また、前記蓋部（Ｂ）が前記収納箱部（Ａ）の底面において蓋部（Ｂ−１）と蓋部（Ｂ−２）に分割されていても、それぞれの基本構成層はいずれも1枚の材料、たとえば１枚のボール紙であることができる。
いずれの場合も、蓋部（Ｂ）は、基本構成層を構成する材料、たとえば紙製材料が前記収納箱部（Ａ）の底面の少なくとも１部または全部と対応する側壁をぴったり取り巻き、前記収納箱部（Ａ）の開口部上で該紙材料の両端部、すなわち前記蓋部の嵌合部分が請求項１の（４）記載の条件、すなわち
両開き式の蓋部（Ｂ）の嵌合部分においては、
（イ）それぞれの蓋部〔（Ｂ−１）と（Ｂ−２）〕の内側層は、蓋部（Ｂ）を閉じ
たとき蓋部（Ｂ−１）の端部と蓋部（Ｂ−２）の端部が向かい合って接する
関係にあり、
（ロ）蓋部（Ｂ−１）は、蓋部（Ｂ−２）と接する側の端部において基本構成層に
設けられた突起部を有しており、
（ハ）蓋部（Ｂ−２）は、蓋部（Ｂ−１）と接する側の端部において内側層と基本
構成層が同一寸法であるが、両者の間には蓋部（Ｂ−１）の基本構成層に設
けられた前記突起部を収納できる隙間を有している
という条件を満たしていることが重要である。
【０００９】
なお、前記蓋部の１つの構成要素である基本構成層においては、蓋部（Ｂ−１）において突起部を設ける必要があるので、たとえば２枚のボール紙を積層した形で基本構成層を作成し、突起部はそのうちの１枚のボール紙を利用することができる。
突起部は基本構成層の端部全体に設けてもよいが、蓋がしまったという役割が達成できれば、その一部分は突起部がなくてもよい。
【００１０】
蓋部が前記収納箱部（Ａ）の底面端部から前記収納箱部（Ａ）の側壁に沿って立ち上がる場合のように、蓋部の折れ曲がり部は、それを構成する材料の種類に対応してその構造を変更させることができる。
紙製材料で蓋部を構成する場合は、その折れ曲がり部をその中心部を構成しているボール紙はなく、ボール紙の周囲を覆っている紙のみで構成することができる。これにより蓋部の折り曲げが容易にできるようになる。一方、収納箱部（Ａ）の折れ曲がり部は、前記蓋部の折れ曲がり部と異なり折れ曲がった状態で固定されるので、収納箱部（Ａ）の折れ曲がり部は、その端部を４５°の角度で切断されたボール紙同士をつき合わせて９０°の折れ曲がり部とすることができる。しかし、蓋部の折れ曲がり部と同様にその中心部を構成しているボール紙はなく、ボール紙の周囲を覆っている紙のみで折れ曲がり部を構成してもよい。
【００１１】
前記収納箱部（Ａ）の側壁であって、蓋部（Ｂ）で覆われる部分には、収納箱部内に収納されている物品を取り出し易くするための切り欠き部を設けることが好ましい。切り欠き部の形状には何の制限もないが、たとえば、逆三角形、逆台形、花形、雲形などいろいろの形を採ることができる。
【００１２】
本考案の箱体に収納する物品は、箱の大きさによっていろいろであり、何の制限もないが、最も代表的なものとしては、ＣＤ、ＤＶＤ、ＭＯ、テープカセット、デジタルテープカセットなどのほか、ビデオテープ、計算機、装飾品、宝石類、趣味で集めている小物、チョコレート、クッキー、せんべい、饅頭などの菓子類、さくらんぼのような果実類などを挙げることができる。
【００１３】
本考案の箱体の人目にふれる部分にはいろいろの色をつけたり、印刷を施したりすることができる。とくに箱体の外側になる蓋部（Ｂ）の基本構成層にはお客様を引き付けるための印刷、商品宣伝のための印刷、提供者の住所、会社名、商標などの印刷を施すことができる。箱体上側の蓋部（Ｂ）表面に相当する蓋部（Ｂ−１）と蓋部（Ｂ−２）を２枚の襖に見立てて印刷を施したものは非常に魅力的である。
【考案の効果】
【００１４】
この考案は、全く新しいタイプの両開き式の簡易密閉蓋をもつ箱体を提供するものであり、とくに簡単に密閉式の構造が採りにくい紙製の蓋部については、画期的な考案である。
【実施例】
【００１５】
以下に実施例を挙げて本考案を説明するが、本考案はこれにより何ら限定されるものではない。
【００１６】
厚さ２ｍｍのボール紙を用いて内寸法で、底部の横が１９１ｍｍ、縦が１４５ｍｍ、高さが３．５ｍｍの収納箱部（Ａ）を作った。なお、側壁中央部分には、収納物が取り出し易いように、逆台形（上側６０ｍｍ、下側２８ｍｍ）の切り欠き部を設けた。この様子は図１に見ることができる。
一方、蓋部（Ｂ）については、図１に見られるように、前記（Ｂ−１）の部分も（Ｂ−２）の部分も共通の基本構成層を用いた。この基本構成層は、底部、その両側に設けれられた立ち上がり部および蓋部の両開き部分より構成されている。前記基本構成層は、厚さ１ｍｍのボール紙２枚を接着して得られた積層体の表面を紙で覆ったものである。この基本構成層の折れ曲がり部は前記積層体の表面を覆った紙により構成されている。前記基本構成層の底部の外形は、横１９５ｍｍ、縦１５０ｍｍであり、その立ち上がり部の外形は、高さ部分３８ｍｍ、巾１５０ｍｍであり、上蓋部分に相当する（Ｂ−１）の部分は、横１００ｍｍ、縦１５０ｍｍ、その突起部は、前記基本構成層を形成している２枚のボール紙のうち上側の１枚を削除して得られたものであって、厚さ１ｍｍ、横１０ｍｍ、縦１５０ｍｍであり、もう一方の上蓋部分に相当する（Ｂ−２）の部分は、横１００ｍｍ、縦１５０ｍｍであって、前記突起部を受け入れるための隙間は、前記基本構成層を形成している２枚のボール紙のうち下側の１枚を削除して得られたものであって、厚さ１ｍｍ、横１０ｍｍ、縦１５０ｍｍである。
基本構成層に貼り付ける内側層は、（Ｂ−１）の側も（Ｂ−２）の側も、横９５ｍｍ、縦１４３ｍｍ、厚さ２ｍｍで、蓋をした時、丁度収納箱部（Ａ）の開口部に内層部分が丁度入り込むサイズである。
【図面の簡単な説明】
【００１７】
【図１】本考案にかかる箱体を完全に開いたときの斜視図である。
【図２】本考案にかかる箱体を閉じる寸前の状態を示す斜視図である。
【図３】本考案にかかる箱体を完全に閉じたときの状態を示す斜視図である。
【図１】
0003134935.tif 000003
【図２】
0003134935.tif 000004
【図３】
0003134935.tif 000005